(57)【要約】【課題】結束部材を使用せずに簡単に設置及び撤去が可能である、有害動物の侵入防止に適した防護柵を提供する。【解決手段】  長手方向に沿って間隔を空けて並設する複数本の縦線と高さ方向に沿って間隔を空けて並設する複数本の横線とで網目状に構成した金網と、この金網を長手方向につないで立てるためのものでかつ断面多角形の角線に捩り加工を施してなる螺旋状の棒状部とこの棒状部の頭部にあるループ部とで構成した支柱とからなり、かつ前記金網を長手方向につないで立てるときにそのつなぎ目に網目の少なくとも一目分重なる重合部分を作り、この重合部分に上方から前記支柱を差し通して土中に打ち立てたときに金網の最上位横線がそのループ部に嵌まると共に他の横線は支柱に対して内外方向に互い違いに位置するようにしている。【選択図】  図１
0003150516.tif 000002
【実用新案登録請求の範囲】
【請求項１】
長手方向に沿って間隔を空けて並設する複数本の縦線と高さ方向に沿って間隔を空けて並設する複数本の横線とで網目状に構成した金網と、この金網を長手方向につないで立てるためのものでかつ断面多角形の角線に捩り加工を施してなる螺旋状の棒状部とこの棒状部の頭部にあるループ部とで構成した支柱とからなり、
かつ前記金網を長手方向につないで立てるときにそのつなぎ目に網目の少なくとも一目分重なる重合部分を作り、この重合部分に上方から前記支柱を差し通して土中に打ち立てたときに金網の最上位横線がそのループ部に嵌まると共に他の横線は支柱に対して内外方向に互い違いに位置するようにしたことを特徴とする防護柵。
【請求項２】
金網の縦線を最下位横線から下方に突出させることにより、金網の下部に土中差込用の脚部を構成したことを特徴とする請求項１記載の防護柵。
【請求項３】
金網のつなぎ目に位置する支柱、及び／又は金網の中間に位置する補強用の支柱を金網の上方から差し通して土中に打ち立てるときに、これら立設用の支柱と同様の棒状部とループ部を持つ倒れ防止用支柱のループ部に前記立設用支柱を通しておいて、前記立設用支柱を打ち込むときに前記倒れ防止用支柱も斜めに打ち込むようにしたことを特徴とする請求項１又は２記載の防護柵。
【請求項４】
金網に上方から差し込んでその横線に嵌め込むことにより金網に取り付ける忍びポールを備え、かつこの忍びポールの金網から上方に突き出る略上半部分を外側に折り曲げて傾斜させると共にその頭部のループ部に針金やマイカー線を張って飛び越え防止用の柵部を構成するようにしたことを特徴とする請求項１乃至３のいずれかに記載の防護柵。
【請求項５】
長手方向に沿って間隔を空けて並設する複数本の縦線と高さ方向に沿って間隔を空けて並設する複数本の横線とで網目状に構成した金網で、この金網の上部少なくとも二目分を外側に折り曲げて忍び部を形成すると共に金網の縦線を最下位横線から下方に突出させて脚部を形成したことを特徴とする請求項１又は３記載の防護柵。
【考案の詳細な説明】
【技術分野】
【０００１】
本考案は、有害動物の侵入を防止するために、農地などのあらゆる場所の恒久的な本柵から短期的な仮柵までの幅広い用途に使用される防護柵に関するものである。
【背景技術】
【０００２】
この種の防護柵としては、支柱に碍子を取り付けて電線を巻き付け、これに電流（電源はバッテリー）を流して動物を撃退する方式の電気柵がある。かかる電気柵は、価格的に安価に施行できるが、草刈りなどの管理面での負担が掛かるのと、日数が経てば動物が馴れて効果が落ちること、そのうえ安全性の面から設置場所に制限を受けるという点で、敬遠されがちである。
【０００３】
そのために、長期的に効果を発揮（持続）する安全な金網柵が、この種の防護柵として一般的に使用されている。
従来のこの種の金網柵では、長手方向に長くなると重くて扱いにくくなる金網をパネル大（長さ２ｍ、高さ１ｍほどの大きさ）の大きさに定寸化して、これを金網の単体として使用している。そして、この単体の金網を長手方向につないで支柱に取り付け、支柱を土中に打ち込んで立設することにより、防護柵としている。
【０００４】
しかしながら、かかる従来の防護柵では二枚の金網を長手方向につないで支柱に取り付けるために、ボルトナット、針金、紐などの結束部材が多量に必要となって、この結束部材に多額の費用が掛かるのみならず、その設置時の結束作業と撤去時の解体作業に多くの手数による時間と経費が掛かるという問題がある。
【考案の概要】
【考案が解決しようとする課題】
【０００５】
本考案は、かかる従来技術の問題点に鑑み創案されたものであり、その目的は、結束部材を使用せずに簡単に設置及び撤去が可能である、有害動物の侵入防止に適した防護柵を提供することにある。
【課題を解決するための手段】
【０００６】
請求項１の考案は、５０ｃｍ〜４ｍ、一般に約２ｍの長手方向に沿って１０ｃｍ〜４０ｃｍ、一般に約１５ｃｍの間隔を空けて並設する複数本の縦線と８０ｃｍ〜１．５ｍ、一般に約１ｍの高さ方向に沿って５ｃｍ〜２０ｃｍ、一般に約７．５ｃｍの間隔を空けて並設する複数本の横線とで網目状に構成した金網と、この金網を長手方向につないで立てるためのものでかつ断面多角形の角線に捩り加工を施してなる螺旋状の棒状部とこの棒状部の頭部にあるループ部とで構成した支柱とからなり、かつ前記金網を長手方向につないで立てるときにそのつなぎ目に網目の少なくとも一目分重なる重合部分を作り、この重合部分に上方から前記支柱を差し通して土中に打ち立てたときに金網の最上位横線がそのループ部に嵌まると共に他の横線は支柱に対して内外方向に互い違いに位置するようにしたことを特徴とする。
【０００７】
請求項２の考案は、金網の縦線を最下位横線から下方に突出させることにより、金網の下部に土中差込用の脚部を構成したことを特徴とする。
【０００８】
請求項３の考案は、金網のつなぎ目に位置する支柱、及び／又は金網の中間に位置する補強用の支柱を金網の上方から差し通して土中に打ち立てるときに、これら立設用の支柱と同様の棒状部とループ部を持つ倒れ防止用の支柱のループ部に前記立設用支柱を通しておいて、前記立設用支柱を打ち込むときに前記倒れ防止用支柱も斜めに打ち込むようにしたことを特徴とする。
【０００９】
請求項４の考案は、金網に上方から差し込んでその横線に嵌め込むことにより金網に取り付ける忍びポールを備え、かつこの忍びポールの金網から上方に突き出る略上半部分を外側に折り曲げて傾斜させると共にその頭部のループ部に針金やマイカー線を張って飛び越え防止用の柵部を構成するようにしたことを特徴とする。
【００１０】
請求項５の考案は、２ｍほどの長手方向に沿って８．５ｃｍほどの間隔を空けて並設する複数本の縦線と１．２ｍほどの高さ方向に沿って１５ｃｍほどの間隔を空けて並設する複数本の横線とで網目状に構成した金網で、この金網の上部少なくとも二目分を外側に折り曲げて忍び部を形成すると共に金網の縦線を最下位横線から下方に突出させて脚部を形成したことを特徴とする。
【考案の効果】
【００１１】
請求項１の考案は、金網を長手方向につないで立てるときにそのつなぎ目に網目の少なくとも一目分重なる重合部分を作り、この重合部分に上方から支柱を差し通して土中に打ち立てたときに金網の最上位横線がそのループ部に嵌まると共に他の横線は支柱に対して内外方向に互い違いに位置するようにしたことにより、二枚の金網はその重合部分に差し通された支柱により長手方向に強固につながれると共に打ち立てられた支柱に強固に取り付けられるし、その際支柱のループ部で金網の最上位横線が抑え込まれて金網全体が地面に固定されるので、二枚の金網を長手方向につないで支柱に取り付けるためのボルトナット、針金、紐などの結束部材が不要となってコストダウンが図れると共に、その設置及び撤去の作業、特に解体作業時には支柱の螺旋形状を利用して回しながら支柱を抜けるので解体作業が簡単容易となってこれら作業時間の大幅な短縮及びその作業に掛かる費用を大幅に軽減できるという効果がある。
【００１２】
請求項２の考案は、金網をその脚部を土中に差し込むことにより立て、次の金網も同様にその脚部を土中に差し込むことにより立て、こうして独り立ちさせた二枚の金網のつなぎ目に上方から支柱を差し通して土中に打ち立てることにより、二枚の金網をつないで立てることができるので、高齢者一人でも楽に設置作業ができるようになるという効果がある。
【００１３】
請求項３の考案は、倒れ防止用支柱を設けることにより、防護柵の立設強度をさらに高めることができるし、その際の倒れ防止用支柱の取付用結束部材が不要となってコストダウンが図れると共に、その設置及び撤去の作業、特に解体作業時には倒れ防止用支柱の螺旋形状を利用して回しながら倒れ防止用支柱を抜けるので解体作業が簡単容易となってこれら作業時間の大幅な短縮及びその作業に掛かる費用を大幅に軽減できるという効果がある。
【００１４】
請求項４の考案は、忍びポールを金網に差し込んで取り付けることにより、金網の上方に簡単に忍びを設けることができるし、その際の忍びポールの取付用結束部材が不要となってコストダウンが図れると共に、その設置及び撤去の作業が簡単容易となってこれら作業時間の大幅な短縮及びその作業に掛かる費用を大幅に軽減できるという効果がある。
【００１５】
請求項５の考案は、一枚の金網の上部に忍び部を、下部に脚部をそれぞれ形成することにより、この種金網の支柱によるつなぎ効果とその脚部による独り立ち効果が得られる上に、さらに現場での忍び取り付け作業が一切不要になると共にその忍び材料（ポール、針金、マイカー線など）も不要になって、これら作業時間の大幅な短縮及びその作業に掛かる費用を大幅に軽減できるという効果がある。
【図面の簡単な説明】
【００１６】
【図１】本考案の実施例１を示すものでかつ支柱により二枚の金網を長手方向につないで立てた状態を示す側面図である。
【図２】図１の支柱を示す側面図である。
【図３】本考案の実施例２を示すものでかつ一枚の金網を独り立ちさせた状態を示す側面図である。
【図４】本考案の実施例３を示すものでかつ補強用支柱のある金網の一部分を示す斜視図である。
【図５】本考案の実施例４を示すものでかつ忍びポールを取り付けた金網の一部分を示す斜視図である。
【図６】本考案の実施例５を示すものでかつ金網全体を示す側面図である。
【考案を実施するための形態】
【００１７】
本考案の防護柵は、金網と支柱を用い、かつ金網を長手方向につないで立てるときにそのつなぎ目に網目の少なくとも一目分重なる重合部分を作り、この重合部分に上方から支柱を差し通して土中に打ち立てたときに金網の最上位横線がそのループ部に嵌まると共に他の横線は支柱に対して内外方向に互い違いに位置するようにすることにより、結合部材等の部品を用いずに簡単に設置及び撤去の作業を実現することができるものである。
【実施例１】
【００１８】
請求項１に示す考案の一実施例を図１、図２について説明する。図１は支柱により二枚の金網を長手方向につないで立てた状態を示す側面図、図２は図１の支柱を示す側面図である。
【００１９】
図において、１は長さ約２ｍ、高さ約１ｍの長方形状をした金網で、長手方向に沿って１５ｃｍほどの間隔を空けて並設する複数本の縦線１Ａと高さ方向に沿って７．５ｃｍほどの間隔を空けて並設する複数本の横線１Ｂとで網目状に構成してある。２は１．５ｍの支柱で、断面四角形の角線に捩り加工を施してなる螺旋状の棒状部２ａとこの棒状部２ａの頭部にあるループ部２ｂとからなる。
【００２０】
防護柵を設置するときには、二枚の金網１、１のつなぎ目に網目の一目分重なる重合部分３を作り、この重合部分３に上方から支柱２を差し通して土中に打ち立てる。こうして、順次金網１を支柱２により長手方向につないで立てることにより、所望長さの防護柵（全長５０ｍの場合、２５枚の金網１をつなぐ）を立設することができる。よって、結束部材を用いていた従来の防護柵に比べて結束部材が不要となる分、全体のコストが大幅にダウンすると共に、結束部材が不要となる分、設置作業時間の大幅な短縮及びその作業に掛かる費用を大幅に軽減できる。
【００２１】
前記二枚の金網１、１のつなぎ目では、各横線１Ｂが支柱２に対して内外方向に互い違いに位置して支柱２を挟みつけるので、二枚の金網１、１が支柱２に取り付けられた状態でつながれるし、また最上位の各横線１ａ，１ａが支柱２のループ部２ｂに嵌まることにより重合部分３がループ部２ｂにより抑え込まれることになって二枚の金網１、１がつながれた状態で地面に固定される。なお、支柱２を差し通すときの横線１Ｂの内外方向への順序及び互い違いの本数は図面に示したものに限定されるものではない。
【００２２】
防護柵を撤去するときには、支柱２をその螺旋形状を利用して木ネジの要領で回しながら抜けば、土中からも各横線１Ｂからも楽に支柱２を抜くことができるので、解体作業が簡単容易に行える。よって、結束部材を一個一個解いていた従来の作業に比べて解体作業時間の大幅な短縮及びその作業に掛かる費用を大幅に軽減できる。
【００２３】
金網１は、縦線１Ａ及び横線１Ｂとして、外径３．２ｍｍの亜鉛メッキ線を使用している。この亜鉛メッキ線の縦線１Ａ及び横線１Ｂにより長さ２ｍ、高さ１ｍの大きさに構成された長方形状の金網１は、ほぼ２．５ｋｇの重さとなる。この一枚の金網１の重さ２．５ｋｇは、一般的なワイヤー（亜鉛メッキの施されていない線径５ｍｍのもの）による金網の５ｋｇに比べて半分の重さであるので、この軽さは設置作業時には勿論のこと、多量の金網を運搬する時にも、大変有利かつ便利となる。
【００２４】
支柱２は、７ｍｍの四角線に、溶融亜鉛メッキ等の防錆処理を施したものを使用している。この支柱２の長さは、立設する金網１の高さ寸法に合わせて、１ｍ〜２ｍの範囲のものがある。なお、この支柱２としては、例えば実用新案登録第３１００２７３号公報に記載される支柱が採用できる。
このように金網１の縦線１Ａ及び横線１Ｂに亜鉛メッキ線を用いかつ支柱２に溶融亜鉛メッキ処理を施しておくと、錆びに強く、丈夫で長持ちする防護柵となる。
【実施例２】
【００２５】
請求項２に示す考案の一実施例を図３について説明する。図３は一枚の金網を独り立ちさせた状態を示す側面図で、図中前記実施例１と同一又は相当部分には同一符号を付してその説明を省略する。
【００２６】
図において、４は金網１の下部に構成した土中差込用の脚部で、金網１の各縦線１Ａを最下位横線１ｂから下方にそれぞれ突出させることにより構成している。なお、突出させる長さは約１５ｃｍであるし、突出させる縦線１Ａは図示のように縦線１Ａの全てでなくても良い。
【００２７】
このように金網１の下部に脚部４を設けておくと、この脚部４を土中に差し込むことにより金網１を図示のように独り立ちさせることができる。よって、前記実施例１で説明したように二枚の金網１、１を立ててつなぐときに、二枚の金網１、１がそれぞれ独り立ちするので、その重合部分３の形成も楽にできるし、きちっと止まった状態の金網１、１の重合部分３に上方から支柱２を差し通して土中に打ち立てることができる。このことにより設置作業が楽に行えるようになり、高齢者一人でも容易かつ楽に設置作業が行えるようになる。
【００２８】
また、このように金網１の脚部４を土中に突き差しておくと、猪のように土を掘る動物に対しては特に有効であるし、その場合、金網１全体が支柱２のループ部２ｂに押え込まれることにより地面に押し付けられるので、猪の突き上げに対しても効果的である。
【実施例３】
【００２９】
請求項３に示す考案の一実施例を図４について説明する。図４は補強用支柱のある金網の一部分を示す斜視図で、図中前記実施例１と同一又は相当部分には同一符号を付してその説明を省略する。
【００３０】
図において、５は金網１の中間に位置する補強用の支柱で、前記実施例１の支柱２と同じもので同じように金網１（中間部分）に上方から差し通して土中に打ち立てられる。６は倒れ防止用の支柱で、これも補強用支柱５と同様に前記実施例１の支柱２と同じものを使用している。
【００３１】
補強用支柱５を金網１の中間にその上方から差し通して土中に打ち立てるときに、この補強用支柱５を倒れ防止用支柱６のループ部６ａに通しておいて、補強用支柱５を打ち込むときに倒れ防止用支柱６も斜めに打ち込むことにより、補強用支柱５の立設強度をさらに高め、ひいては防護柵の倒れが防止できる。その際、柵全体において、この倒れ防止用支柱６を補強用支柱５のみに設けても良いし、補強用支柱５と併せて重合部分３の支柱２にも設けても良いし、さらに飛び飛びに両者に設けても良い。
【００３２】
なお、このようにループ部６ａを利用して倒れ防止用支柱６を補強用支柱５に取り付けると、倒れ防止用支柱６の取付用結束部材が不要となってコストダウンが図れると共に、その設置及び撤去の作業、特に解体作業時には倒れ防止用支柱６の螺旋形状を利用して回しながら倒れ防止用支柱６を抜けるので解体作業が簡単容易となってこれら作業時間の大幅な短縮及びその作業に掛かる費用を大幅に軽減できる。
【実施例４】
【００３３】
請求項４に示す考案の一実施例を図５について説明する。図５は忍びポールを取り付けた金網の一部分を示す斜視図で、図中前記実施例１と同一又は相当部分には同一符号を付してその説明を省略する。
【００３４】
図において、７は金網１に上方から差し込んで横線１Ｂに嵌め込むことにより金網１に取り付けた忍びポールで、前記実施例１の支柱２と同じものであるが、外径が４ｍｍであること、長さが０．８ｍである点で異なっている。
【００３５】
この忍びポール７は金網１に取り付けた状態では、金網１から上方に突き出る上半部分が外側に折れ曲がって傾斜すると共にその頭部のループ部７ａに針金やマイカー線８が張られて、金網１の上部に飛び越え防止用の柵部を構成している。この柵部により金網１の上方に忍びの設置効果が得られると共に、忍びポール７の取付用結束部材が不要となってコストダウンが図れ、かつその設置及び撤去の作業が簡単容易となってこれら作業時間の大幅な短縮及びその作業に掛かる費用を大幅に軽減できる。
【００３６】
このように忍びポール７のループ部７ａを利用して針金やマイカー線８を一本簡単に張れるので、忍びの針金やマイカー線８の張り付けが楽に行えるし、その際金網１の最上位横線１ａと針金やマイカー線８との間にもう一本、二本と針金やマイカー線を張ることも容易に行える。なお、忍びポール７の外径及び長さについては、設置場所に合わせて変更可能である。
【実施例５】
【００３７】
請求項５に示す考案の一実施例を図６について説明する。図６は金網全体を示す側面図で、図中前記実施例１と同一又は相当部分には同一符号を付してその説明を省略する。
【００３８】
図において、９は２ｍほどの長手方向に沿って８．５ｃｍほどの間隔を空けて並設する複数本の縦線１Ａと１．２ｍほどの高さ方向に沿って１５ｃｍほどの間隔を空けて並設する複数本の横線１Ｂとを溶接により網目状に構成してなる（溶接）金網、９Ａは金網９の上部二目分を外側に折り曲げて形成した忍び部、９Ｂは金網９の縦線１Ａを最下位横線１ｂから下方に突出させて形成した脚部である。
【００３９】
このように金網９の上部に忍び部９Ａを、下部に脚部９Ｂをそれぞれ形成しておくと、実施例１に示すように支柱２によるつなぎ効果が得られるし、また実施例２に示すように脚部４による独り立ち効果が得られる上に、さらに現場での忍び取り付け作業が一切不要になると共にその忍び材料（ポール、針金、マイカー線など）も不要になって、これら作業時間の大幅な短縮及びその作業に掛かる費用を大幅に軽減できる。
【産業上の利用可能性】
【００４０】
本考案は、有害動物の侵入を防止するために、農地などのあらゆる場所の恒久的な本柵から短期的な仮柵までの幅広い用途に使用される防護柵に広く活用できる。
【符号の説明】
【００４１】
１  ：金網
１Ａ：金網１の縦線
１Ｂ：金網１の横線
１ａ：最上位横線
１ｂ：最下位横線
２  ：支柱
２ａ：支柱２の棒状部
２ｂ：支柱２のループ部
３  ：重合部分
４  ：金網１の土中差込用脚部
５  ：補強用支柱
６  ：倒れ防止用支柱
６ａ：倒れ防止用支柱６のループ部
７  ：忍びポール
７ａ：忍びポール７のループ部
８  ：針金やマイカー線
９  ：金網
９Ａ：金網９の忍び部
９Ｂ：金網９の脚部
【図１】
0003150516.tif 000003
【図２】
0003150516.tif 000004
【図３】
0003150516.tif 000005
【図４】
0003150516.tif 000006
【図５】
0003150516.tif 000007
【図６】
0003150516.tif 000008